(57)【要約】【課題】射撃場の土壌から鉛弾丸以外のものを可能な限り除去し、鉛弾丸を分別処理することにより、搬送及び処理の手間や費用を格段に低減する。【解決手段】鉛弾丸を含む射撃場の土壌に乾燥を促進する粉体を混合して混合物を生成し、混合物を細粒化するために粉砕するための乾燥細粒化装置１０と、粉砕された混合物から所定以上の大きさの土砂を分離する振動ふるい装置２０と、所定以上の大きさの土砂が除去された後の鉛弾丸含有土砂に振動を加えて上方の土砂を取り除く振動分離装置３０とを備える。【選択図】　　　図１
2004098013.tif 000002
【特許請求の範囲】
【請求項１】
鉛弾丸を含む射撃場の土壌を処理する方法であって、
鉛弾丸を含む射撃場の土壌を採取し、該土壌に乾燥を促進する粉体を混合して混合物を生成し、該混合物を細粒化するために粉砕し、該粉砕した混合物をふるいに通して鉛弾丸を含む土砂と鉛弾丸を含まない土砂とに分別し、この分別された鉛弾丸含有土砂に振動を加えて上方の土砂のみの部分を取り除くことを特徴とする土壌処理方法。
【請求項２】
前記振動を加えて上方の土砂のみの部分を取り除く工程の後に、さらに、鉛弾丸含有土砂に気体を吹き付けて土砂を吹き飛ばして土砂量を最小化することを特徴とする請求項１記載の土壌処理方法。
【請求項３】
鉛弾丸、薬莢および射撃の標的を含む射撃場の土壌を処理する方法であって、
射撃場の土壌を採取し、該採取土壌に振動を加えながら吸引手段により薬莢を吸引して除去し、該薬莢が除去された後の土壌をふるいに通して鉛弾丸を含む土砂と射撃の標的とに分別し、さらに、この分別された鉛弾丸含有土砂を請求項１記載の方法により処理することを特徴とする土壌処理方法。
【請求項４】
鉛弾丸を含む射撃場の土壌を処理するシステムであって、
鉛弾丸を含む射撃場の土壌に乾燥を促進する粉体を混合して混合物を生成する手段と、該混合物を細粒化するために粉砕する手段と、該粉砕された混合物から所定以上の大きさの土砂を分離する第１の土砂分離手段と、所定以上の大きさの土砂が除去された後の鉛弾丸含有土砂に振動を加えて上方の土砂を取り除く第２の土砂分離手段とを備えることを特徴とする土壌処理装置。
【請求項５】
鉛弾丸、薬莢および射撃の標的を含む土壌を処理するシステムであって、
採取された射撃場の土壌に振動を加えながら所定方向に移動させる加振手段と、該加振手段により移動する土壌から薬莢を吸引して除去する薬莢吸引手段と、該薬莢が除去された後の土壌から射撃の標的を分離する標的分離手段と、標的分離手段により標的が分離された鉛弾丸含有土砂に生石灰、セメントの少なくとも一種を混合して混合物を生成する手段と、該混合物を細粒化するために粉砕する手段と、該粉砕された混合物から所定以上の大きさの土砂を分離する第１の土砂分離手段と、所定以上の大きさの土砂が除去された後の鉛弾丸含有土砂に振動を加えて上方の土砂を取り除く第２の土砂分離手段とを備えることを特徴とする土壌処理装置。
【発明の詳細な説明】
【０００１】
【発明が属する技術分野】
本発明は、鉛弾丸、薬莢および射撃の標的を含む射撃場の土壌を処理する方法及びシステムに関する。
【０００２】
【従来の技術】
自然環境下で鉛が地下水に浸出することに関し、水資源利用者および環境行政の担当者から多大な関心を集めており、同様に、射撃場の周囲においても、鉛弾丸による環境への影響に重大な関心が寄せられている。このため、一部の射撃場内では鉛弾丸を土壌から除去する作業が進められており、その除去方法としては、鉛弾丸が含まれる表層土を採取してこれを管理型処分場に封じ込める方法、または鉛弾丸が含まれる表層土を焼成してセメント材料とする方法などが実施されている。しかしながら、これらの方法では搬送の手間や処理費用が多大であり、また管理型処分場に搬入した場合には、鉛の浸出防止対策に関して更なる改善の余地が残される。
【０００３】
【発明が解決しようとする課題】
本発明は上記従来の問題点を解決するためになされたものであり、その課題は、射撃場の土壌から鉛弾丸以外のものを可能な限り除去し、鉛弾丸を分別処理することにより、搬送及び処理の手間や費用を格段に低減することができる処理方法及び処理システムを提供することである。
【０００４】
【課題を解決するための手段】
本発明によれば、鉛弾丸を含む射撃場の土壌を処理する方法であって、鉛弾丸を含む射撃場の土壌を採取し、該土壌に乾燥を促進する粉体を混合して混合物を生成し、該混合物を細粒化するために粉砕し、該粉砕した混合物をふるいに通して鉛弾丸を含む土砂と鉛弾丸を含まない土砂とに分別し、この分別された鉛弾丸含有土砂に振動を加えて上方の土砂のみの部分を取り除き、これにより、土砂量が最小化された鉛弾丸含有土砂を分別することを特徴とする土壌処理方法が提供される。
ここで、前記乾燥を促進する粉体としては、特に限定されるものではないが、例えば、生石灰、中性セメントの少なくとも一種を使用することが可能である。この中性セメントを用いた場合には、乾燥効果に加えて鉛成分の不溶化効果も得られる。
本発明では、射撃場で採取した土壌に粉体を混合することにより、採取した土壌は乾燥し、細粒化や篩にかけることが容易になる。また、この乾燥した混合物を粉砕して細粒化することにより、鉛弾丸は土壌から分離される。この後、鉛弾丸含有土砂に振動を加えることにより、比較的比重が大きい鉛弾丸は下方に沈むので、上方の土砂のみを取り除けば、これにより、土砂量が最小化された鉛弾丸含有土砂を得ることができる。このように鉛弾丸含有土砂の土砂量が最小化されたものは、軽量であるが故に、搬送及び処理の手間や費用を格段に低減することができて、例えば、鉛に再精錬することも比較的容易に実施可能になる。
【０００５】
また本発明では、鉛弾丸、薬莢および射撃の標的を含む射撃場の土壌を処理する方法であって、射撃場の土壌を採取し、該採取土壌に振動を加えながら吸引手段により薬莢を吸引して除去し、該薬莢が除去された後の土壌をふるいに通して鉛弾丸を含む土砂と射撃の標的とに分別し、さらに、この分別された鉛弾丸含有土砂を、上記の方法により処理することを特徴とする土壌処理方法が提供される。
以上のように、採取土壌に振動を加えることにより、比較的軽量な薬莢は表面に浮かび上がり、吸引手段による除去が可能になり、この後、土壌をふるいに通せば、比較的大きな射撃の標的は鉛弾丸を含む土砂から取り除くことができて、この分別された鉛弾丸含有土砂は、上述したような方法により処理することが可能になる。
【０００６】
また本発明では、鉛弾丸を含む射撃場の土壌を処理するシステムであって、鉛弾丸を含む射撃場の土壌に乾燥を促進する粉体を混合して混合物を生成する手段と、該混合物を細粒化するために粉砕する手段と、該粉砕された混合物から所定以上の大きさの土砂を分離する第１の土砂分離手段と、所定以上の大きさの土砂が除去された後の鉛弾丸含有土砂に振動を加えて上方の土砂を取り除く第２の土砂分離手段とを備えることを特徴とする土壌処理装置が提供される。
以上のような土壌処理装置により、鉛弾丸含有土砂の土砂量が最小化されて軽量になるので、搬送及び処理の手間や費用を格段に低減することができて、例えば、鉛へと精錬することも比較的容易になる。
【０００７】
【実施例】
以下、添付図面を参照して本発明の好適な実施形態を説明する。
図１は射撃場の土壌処理の流れと、これに用いる装置の概略を示した図である。図１において、本発明の土壌処理システム１は、乾燥細粒化装置１０、振動ふるい装置２０、振動分離装置３０を主要な構成として備えている。
ここで、前記乾燥細粒化装置１０は、鉛弾丸を含む射撃場の土壌にセメント粉体を混合して混合物を生成する機能と、この混合物を粉砕して細粒化する機能との両機能を併せ持つ装置であって、セメント粉体を収容し採取土壌へと供給する粉体ホッパー兼フィーダー部１１と、射撃場で採取された鉛弾丸を含む土壌を収容し混合・粉砕部１３へと送り出す土壌ホッパー兼フィーダー部１２と、採取土壌と粉体とを混合して混合物を粉砕して細粒化する混合・粉砕部１３と、この混合・粉砕部１３で細粒化された混合物を排出するためのベルトコンベア１４とを備えたものである。
【０００８】
前記振動ふるい装置２０は、乾燥細粒化装置１０により細粒化された混合物から所定以上の大きさの土砂を分離するための装置であり、混合物を収容するホッパー２１と、このホッパー２１から送り出された混合物をふるい分けるための振動ふるい２２と、この振動ふるい２２を振動させるための起振装置（図示せず）とを備えている。ここで、振動ふるい２２は、ふるい目が約４ｍｍ程度のものを使用し、粒径が約４ｍｍ以下の鉛弾丸を含む土壌を下方に落下させ、粒径が約４ｍｍ以上の土砂のみを振動ふるい２２上に残すものである。
【０００９】
また前記振動分離装置３０は、所定以上の大きさの土砂が除去された後の鉛弾丸含有土砂に振動を加えて上方の土砂を取り除くための装置である。図３（ａ）は、この振動分離装置３０の構成を説明するための簡略斜視図であり、理解を容易にするために、点線で描くべき箇所（他部材の後方に位置する部位）も全て実線で示した。
振動分離装置３０は、振動ふるい装置２０から鉛弾丸含有土砂を受理して収容するボウル３１と、このボウル３１に振動を与えるための起振部３８とを備える。ボウル３１は、筒状体３２が底部３６を有し、筒状体３２の内周面には底部３６から上端まで螺旋状に連続する移動通路３３が設けられ、第１の排出部材３４が筒状体３２を貫通し移動通路３３の途中に接続し、第２の排出部材３５が移動通路３３の上端に設けられている。第１の排出部材３４では、図３（ｂ）に示したように、移動通路３３の上部を遮るように板材３４ｂが設けられ、板材３４ｂの下部には鉛弾丸含有土砂がさらに移動通路３３の上方へと通過できるように開口３４ｃが形成され、排出路３４ａは板材３４ｂに遮られた土砂が流れ込むように形成されている。また第２の排出部材３５では、図３（ｃ）に示したように、移動通路３３を完全に遮るように板材３５ｂが設けられ、排出路３５ａは板材３４ｂに遮られた土砂が流れ込むように形成されている。
したがって、ボウル３１に収容された鉛弾丸含有土砂は起振部３８からの振動を受けて、移動通路３３を螺旋状に下方から上方へ移動し、この移動中に比較的重い鉛弾丸は下に沈み、鉛弾丸は第１の排出部材３４において開口３４ｃを通過する一方で、比較的軽い土砂は上に浮きあがり、板材３４ｂに遮られて排出路３５ａに導かれて排出される。これにより、第２の排出部材３５では、土砂量が最小化された鉛弾丸含有土砂が得られる。
【００１０】
図２は図１とは異なる装置の概略を示した図である。
図２において、本発明の土壌処理システム４０は、鉛弾丸、薬莢および射撃の標的を含む射撃場の土壌６７を受理するホッパー４１が振動フィーダー４３の上流側端部に設けられ、薬莢を吸引するための吸引装置４２が振動フィーダー４３の下流側端部に設けられ、さらに、振動フィーダー４３の下流側端部には振動ふるい４４が連設され、この振動ふるい４４の下流側端部にはベルトコンベア４５が設けられている。ここで、振動フィーダー４３および振動ふるい４４は、それぞれを振動させるための起振装置（図示せず）を備えている。また振動ふるい４４は、ふるい目が約２０ｍｍ程度のものを使用する。
【００１１】
次に、射撃場の土壌を処理する方法について説明する。
例えば、散弾銃を用いてクレーを撃ち落とすクレー射撃場では、土壌の上に芝生などの植物が敷設され、この上に薬莢、鉛弾丸及びクレーが飛散しており、鉛弾丸の一部は土壌内にまで撃ち込まれ、さらに、表層数十センチメートルの土壌には鉛成分が浸出している可能性がある。
したがって、射撃場の土壌の表層５ｃｍ程度までは、図２に示したシステムにより分別処理し、この分別処理により得られた鉛弾丸を含む土壌は、さらに、図１に示したシステムにより分別処理する。また鉛弾丸が存在し、鉛が浸出したと考えられる深さ、例えば、表層５ｃｍより深く２０ｃｍ程度までの土壌も、図１に示したシステムにより分別処理する。
【００１２】
射撃場の表層５ｃｍ程度までの土壌は、図２に示したように、ブルドーザー５５あるいはバックホウを用いて採取し、この採取土壌６７をホッパー４１に投入する。この採取土壌は、ホッパー４１から振動フィーダー４３に送られ、この振動フィーダー４３において採取土壌が振動を受けながら傾斜上方から下方に移動し、この移動中に比較的軽量な薬莢は表面に浮かび、それ以外のものは下側に沈み、振動フィーダー４３の下流側端部において薬莢は吸引装置４２に吸引されて除去される。そして、薬莢が除去された土壌は、振動フィーダー４３から振動ふるい４４に送られ、粒径が約２０ｍｍ以上の射撃の標的及びその他の塵は、振動ふるい２２上に残されてベルトコンベア４５に送り渡され、一方、粒径が約２０ｍｍ以下の鉛弾丸を含む土壌は振動ふるい２２の下方に落下する。
なお、射撃場の状態に応じて、土壌を採取する工程に先立ち、地表に散乱した薬莢を、加圧空気を噴出する装置（図示せず）により吹き飛ばし、薬莢の全てを土壌表面から除去することも可能である。この場合、システムとしては、ホッパー４１が振動ふるい４４に設けられ、振動フィーダー４３と吸引装置４２が省略され、一方、方法としては、振動フィーダー４３と吸引装置４２による工程が省略される。
【００１３】
この振動ふるい２２の下方に落下した土壌６８は、図１に示した乾燥細粒化装置１０に送られる。また射撃場の表層５ｃｍより深く２０ｃｍ程度までの土壌も、図１に示したように、ブルドーザーあるいはバックホウ５１を用いて採取されて乾燥細粒化装置１０に送られる。これらの採取土壌６１や土壌６８は、土壌ホッパー兼フィーダー部１２に投入され、ここから混合・粉砕部１３へと送り出されてセメント粉体と混合されて混合物が生成され、この混合物は粉砕されて細粒化される。
以上の工程において、セメント粉体を混合する理由は、採取土壌６１や土壌６８の乾燥化を図るためであり、この乾燥化により、これを粉砕するときに細粒化し易くなり、篩による篩い分けが容易になる。また混合物を粉砕する理由は、混合物中に含まれる鉛弾丸を土砂から分離するためである。
上記工程により細粒化された混合物は、ベルトコンベア１４により乾燥細粒化装置１０から排出されてホッパー２１に投入される。そして、ホッパー２１から送り出された混合物は、振動ふるい２２により、粒径が約４ｍｍ以下の鉛弾丸を含む土壌６３と、粒径が約４ｍｍ以上の土砂６２とにふるい分けられる。
【００１４】
粒径が約４ｍｍ以下の鉛弾丸を含む土壌６３は、さらに、振動分離装置３０に送られて土砂６５のみと、鉛弾丸を含む土砂６４とに分別され、この土砂６５のみの部分は鉛成分チェック工程７２で検査され、鉛弾丸を含む土砂６４は風選別工程７１で処理される。
鉛成分チェック工程７２では、土砂６５のみの部分の鉛成分含有量を検査し、環境基準法による基準値以下であれば射撃場に撒き出し、この基準値以上であれば処理場へ場外搬出する。
一方、風選別工程７１では、鉛弾丸を含む土砂６４を若干高い場所から落下させながら、ブロワーもしくはコンプレッサー等を用いて空気を吹き付けて土砂を吹き飛ばし、鉛弾丸と土砂とに選り分けて、鉛弾丸は精錬工場に搬入して鉛へ再精錬し、土砂は処理場へ場外搬出する。
【００１５】
振動ふるい２２により分けられた粒径が約４ｍｍ以上の土砂６２は、鉛成分チェック工程７３において、鉛成分の含有量を検査し、上記基準値以下であれば射撃場に撒き出し、基準値以上であれば土砂は処理場へ場外搬出する。
【００１６】
【発明の効果】
本発明では、射撃場で採取した鉛弾丸含有土砂の土砂量が最小化され、鉛弾丸含有土砂は軽量になり、あるいは鉛弾丸のみを取出すことができるので、搬送及び処理の手間や費用を格段に低減することができて、例えば、鉛へと精錬することも比較的容易に実施可能になる。
【図面の簡単な説明】
【図１】射撃場の土壌処理の流れと、これに用いる装置の概略を示した図である。
【図２】図１とは異なる装置の概略を示した図である。
【図３】（ａ）は振動分離装置の構成を説明するための簡略斜視図であり、（ｂ）は第１の排出部材の縦断面であり、（ｃ）は第２の排出部材の縦断面である。
【符号の説明】
１　土壌処理システム
１０　乾燥細粒化装置
２０　振動ふるい装置（第１の土砂分離手段）
３０　振動分離装置（第２の土砂分離手段）
４０　土壌処理システム
【図１】
2004098013.tif 000003
【図２】
2004098013.tif 000004
【図３】
2004098013.tif 000005